(57)【要約】【課題】隣り合うセンサ部同士が電磁的に干渉しにくい静電容量型センサを提供することを課題とする。【解決手段】静電容量型センサ１は、表側電極部ＦＸ、ＲＹと、裏側電極部ＦＹ、ＲＸと、表側電極部ＦＸ、ＲＹと裏側電極部ＦＹ、ＲＸとの間に配置される誘電層２８０と、を各々有し、並置される複数のセンサ部Ｆ、Ｒと、複数のセンサ部Ｆ、Ｒの各々に対して個別に電気的に接続され、センサ部Ｆ、Ｒに電圧を印加すると共に、センサ部Ｆ、Ｒの静電容量に関する電気量が伝送される複数の制御装置２２Ｆ、２２Ｒと、表側電極部ＦＸ、ＲＹおよび裏側電極部ＦＹ、ＲＸのうち、一方を制御装置２２Ｆ、２２Ｒから電圧が印加される入力側電極部ＦＸ、ＲＹ、他方を制御装置２２Ｆ、２２Ｒに電気量を伝送する出力側電極部ＦＹ、ＲＸとして、隣り合う任意の一対のセンサ部Ｆ、Ｒの入力側電極部ＦＸ、ＲＹ間に配置されるセンサ部間アース電極２９０、２９１と、を備える。【選択図】図１
2015007566.tif 000002
【特許請求の範囲】
【請求項１】
表側電極部と、該表側電極部の裏側に配置される裏側電極部と、該表側電極部と該裏側電極部との間に配置される誘電層と、を各々有し、並置される複数のセンサ部と、
複数の該センサ部の各々に対して個別に電気的に接続され、該センサ部に電圧を印加すると共に、該センサ部の静電容量に関する電気量が伝送される複数の制御装置と、
該表側電極部および該裏側電極部のうち、一方を該制御装置から該電圧が印加される入力側電極部、他方を該制御装置に該電気量を伝送する出力側電極部として、
隣り合う任意の一対の該センサ部の該入力側電極部間に配置され、接地されるセンサ部間アース電極と、
を備える静電容量型センサ。
【請求項２】
複数の前記表側電極部が配置される共用表側基材と、
複数の前記裏側電極部が配置される共用裏側基材と、
複数の前記誘電層を兼ねる共用誘電層と、
を有するセンサアセンブリを備える請求項１に記載の静電容量型センサ。
【請求項３】
前記表側電極部は、互いに平行に並ぶ複数の表側電極からなり、
前記裏側電極部は、互いに平行に並ぶ複数の裏側電極からなり、
表側または裏側から見て、複数の該表側電極と複数の該裏側電極とは、互いに交差する方向に延在しており、
表側または裏側から見て、複数の該表側電極と複数の該裏側電極とが重複する部分には、複数の検出部が設定されている請求項１または請求項２に記載の静電容量型センサ。
【請求項４】
前記表側電極部の表側に配置される表側絶縁スペーサと、
該表側絶縁スペーサの表側に配置され、接地される表側アース電極と、
を備える請求項１ないし請求項３のいずれかに記載の静電容量型センサ。
【請求項５】
前記裏側電極部の裏側に配置される裏側絶縁スペーサと、
該裏側絶縁スペーサの裏側に配置され、接地される裏側アース電極と、
を備える請求項１ないし請求項４のいずれかに記載の静電容量型センサ。
【発明の詳細な説明】
【技術分野】
【０００１】
本発明は、例えば、荷重センサやタッチセンサなどとして用いられる静電容量型センサに関する。
【背景技術】
【０００２】
静電容量型センサは、複数の表側電極と、複数の裏側電極と、誘電層と、を備えている。複数の表側電極は、誘電層の表側に配置されている。複数の裏側電極は、誘電層の裏側に配置されている。表側または裏側から見て、複数の表側電極と、複数の裏側電極と、は互いに直交している。複数の表側電極と、複数の裏側電極と、が重複する部分には、複数の検出部が設定されている。検出部に表側から荷重が加わると、誘電層が表裏方向に圧縮される。このため、当該検出部を構成する表側電極と裏側電極との間の電極間距離が小さくなる。したがって、当該検出部の静電容量が大きくなる。
【０００３】
このように、静電容量型センサを用いると、電極間距離の変化に伴う静電容量の変化を基に、検出部に加わる荷重を検出することができる。また、複数の検出部において荷重を検出することにより、静電容量型センサの面方向の荷重分布を検出することができる。このため、静電容量型センサは、例えばベッド、布団などの寝具において、寝ている人の体圧分布を測定する際に用いられる。
【先行技術文献】
【特許文献】
【０００４】
【特許文献１】特開２００９−３００１６４号公報
【発明の概要】
【発明が解決しようとする課題】
【０００５】
しかしながら、静電容量型センサを寝具に配置する場合、静電容量型センサの検出エリア（体圧分布を検出可能なエリア）を広くする必要がある。具体的には、検出部の配置数、言い換えると表側電極および裏側電極の配置数を増やす必要がある。
【０００６】
ところが、検出部の配置数を増やすと、体圧分布の検出精度が低くなる。例えば、表側電極、裏側電極、配線などは、各々、電気抵抗を有している。このため、電源に近い検出部と、電源から遠い検出部と、を比較すると、電源から遠い検出部の方が、電気抵抗に起因する電圧降下が大きい。したがって、電源からの距離に応じて、実際に検出部に印加される電圧が異なってしまう。よって、複数の検出部間における検出値のばらつきが大きくなる。すなわち、体圧分布の検出精度が低くなる。
【０００７】
この点、所望の検出エリアに複数の静電容量型センサを並置すると、同じ面積の検出エリアを単一の静電容量型センサで覆う場合と比較して、静電容量型センサ一つ当たりの検出部の配置数を減らすことができる。このため、複数の検出部間における検出値のばらつきが小さくなる。したがって、体圧分布の検出精度が高くなる。しかしながら、複数の静電容量型センサを並置すると、隣り合う任意の一対の静電容量型センサ同士が電磁的に干渉しやすくなる。このため、ノイズが発生しやすくなる。
【０００８】
この点、特許文献１の［図１１］には、二つのセンサ部を備える静電容量型センサが開示されている。二つのセンサ部は、各々、複数の表側電極と、複数の裏側電極と、誘電層と、を備えている。二つのセンサ部は、単一の制御装置により制御されている。特許文献１には、上述したような、複数の検出部間における検出値のばらつきが大きくなるという課題は開示されていない。また、隣り合う任意の一対のセンサ部同士が電磁的に干渉しやすくなるという課題は開示されていない。
【０００９】
そこで、本発明は、隣り合う任意の一対のセンサ部同士が電磁的に干渉しにくい静電容量型センサを提供することを目的とする。
【課題を解決するための手段】
【００１０】
（１）上記課題を解決するため、本発明の静電容量型センサは、表側電極部と、該表側電極部の裏側に配置される裏側電極部と、該表側電極部と該裏側電極部との間に配置される誘電層と、を各々有し、並置される複数のセンサ部と、複数の該センサ部の各々に対して個別に電気的に接続され、該センサ部に電圧を印加すると共に、該センサ部の静電容量に関する電気量が伝送される複数の制御装置と、該表側電極部および該裏側電極部のうち、一方を該制御装置から該電圧が印加される入力側電極部、他方を該制御装置に該電気量を伝送する出力側電極部として、隣り合う任意の一対の該センサ部の該入力側電極部間に配置され、接地されるセンサ部間アース電極と、を備えることを特徴とする。
【００１１】
本発明の静電容量型センサによると、隣り合う任意の一対のセンサ部の入力側電極部間に、センサ部間アース電極が配置されている。このため、入力側電極部間に発生する浮遊容量を、センサ部間アース電極を介して、グランドに逃がすことができる。したがって、隣り合う任意の一対のセンサ部同士が電磁的に干渉しにくい。よって、複数のセンサ部間に発生する相互ノイズを抑制することができる。また、本発明の静電容量型センサによると、センサ部の配置数を増減することにより、検出エリア（体圧分布を検出可能なエリア）の面積を調整することができる。
【００１２】
（１−１）好ましくは、上記（１）の構成において、前記センサ部間アース電極は、隣り合う任意の一対の前記センサ部の前記出力側電極部間に配置されている構成とする方がよい。
【００１３】
本構成によると、センサ部間アース電極が、入力側電極部間のみならず、出力側電極部間にも配置されている。このため、静電容量型センサの周囲からの環境ノイズ（例えば、出力側電極部が表側電極部の場合は、静電容量型センサの表側からの環境ノイズ。出力側電極部が裏側電極部の場合は、静電容量型センサの裏側からの環境ノイズ。）を抑制することができる。
【００１４】
（２）好ましくは、上記（１）の構成において、複数の前記表側電極部が配置される共用表側基材と、複数の前記裏側電極部が配置される共用裏側基材と、複数の前記誘電層を兼ねる共用誘電層と、を有するセンサアセンブリを備える構成とする方がよい。本構成によると、複数のセンサ部をセンサアセンブリとして一体化することができる。このため、部品点数が少なくなる。
【００１５】
（３）好ましくは、上記（１）または（２）の構成において、前記表側電極部は、互いに平行に並ぶ複数の表側電極からなり、前記裏側電極部は、互いに平行に並ぶ複数の裏側電極からなり、表側または裏側から見て、複数の該表側電極と複数の該裏側電極とは、互いに交差する方向に延在しており、表側または裏側から見て、複数の該表側電極と複数の該裏側電極とが重複する部分には、複数の検出部が設定されている構成とする方がよい。
【００１６】
本構成によると、複数の検出部において、荷重を検出することができる。このため、静電容量型センサの面方向（表裏方向に対して直交する方向）の荷重分布を検出することができる。
【００１７】
（４）好ましくは、上記（１）ないし（３）のいずれかの構成において、前記表側電極部の表側に配置される表側絶縁スペーサと、該表側絶縁スペーサの表側に配置され、接地される表側アース電極と、を備える構成とする方がよい。
【００１８】
本構成によると、静電容量型センサの表側に配置されている物（例えば、寝ている人の体など）を介して、隣り合う任意の一対のセンサ部同士が電磁的に干渉するのを抑制することができる。よって、複数のセンサ部間に発生する相互ノイズを抑制することができる。
【００１９】
（５）好ましくは、上記（１）ないし（４）のいずれかの構成において、前記裏側電極部の裏側に配置される裏側絶縁スペーサと、該裏側絶縁スペーサの裏側に配置され、接地される裏側アース電極と、を備える構成とする方がよい。本構成によると、静電容量型センサの裏側に配置されている物（例えば、寝具、フロアなど）に起因する環境ノイズを抑制することができる。
【発明の効果】
【００２０】
本発明によると、隣り合う任意の一対のセンサ部同士が電磁的に干渉しにくい静電容量型センサを提供することができる。
【図面の簡単な説明】
【００２１】
【図１】第一実施形態の静電容量型センサの透過上面図である。
【図２】図１のＩＩ−ＩＩ方向断面図である。
【図３】同静電容量型センサの前側のセンサ部のブロック図である。
【図４】図２の枠ＩＶ内の拡大図である。
【図５】第二実施形態の静電容量型センサの前後方向拡大断面図である。
【図６】第三実施形態の静電容量型センサの共用裏側絶縁スペーサの分解斜視図である。
【発明を実施するための形態】
【００２２】
以下、本発明の静電容量型センサの実施の形態について説明する。
【００２３】
＜第一実施形態＞
以下の図においては、上側が本発明の「表側」に、下側が本発明の「裏側」に、各々対応している。
【００２４】
［静電容量型センサの構成］
まず、本実施形態の静電容量型センサの構成について説明する。図１に、本実施形態の静電容量型センサの透過上面図を示す。図２に、図１のＩＩ−ＩＩ方向断面図を示す。図３に、同静電容量型センサの前側のセンサ部のブロック図を示す。図４に、図２の枠ＩＶ内の拡大図を示す。
【００２５】
図１〜図４に示すように、静電容量型センサ１は、センサアセンブリ２として一体化されている。センサアセンブリ２は、ベッドのシーツ９の下側に敷設されている。センサアセンブリ２は、表側電極部ＦＸ、ＲＹと、９本の表側配線Ｆｘ、Ｒｙと、裏側電極部ＦＹ、ＲＸと、９本の裏側配線Ｆｙ、Ｒｘと、コネクタ２０Ｆ、２０Ｒと、ハーネス２１Ｆ、２１Ｒと、制御装置２２Ｆ、２２Ｒと、共用カバー２３と、共用表側アース電極２４０と、共用裏側アース電極２４１と、共用表側絶縁スペーサ２５０と、共用裏側絶縁スペーサ２５１と、共用表側基材２６０と、共用裏側基材２６１と、共用裏端基材２６２と、共用表側カバーコート２７０と、共用裏側カバーコート２７１と、共用誘電層２８０と、共用補強層２８１と、センサ部間アース電極２９０、２９１と、を備えている。
【００２６】
共用表側アース電極２４０は、本発明の「表側アース電極」の概念に含まれる。共用裏側アース電極２４１は、本発明の「裏側アース電極」の概念に含まれる。共用表側絶縁スペーサ２５０は、本発明の「表側絶縁スペーサ」の概念に含まれる。共用裏側絶縁スペーサ２５１は、本発明の「裏側絶縁スペーサ」の概念に含まれる。表側電極部ＦＸ、ＲＹは、本発明の「入力側電極部」の概念に含まれる。裏側電極部ＦＹ、ＲＸは、本発明の「出力側電極部」の概念に含まれる。
【００２７】
静電容量型センサ１は、寝ている人Ｍの体重により、後述する検出部ＣＦ、ＣＲの電極間距離（表側電極部ＦＸと裏側電極部ＦＹとの間の距離、表側電極部ＲＹと裏側電極部ＲＸとの間の距離）が変化することを基に、人Ｍの体圧分布を計測している。
【００２８】
（共用カバー２３）
共用カバー２３は、柔軟なポリエステル繊維製であって、袋状を呈している。共用カバー２３は、絶縁性を有している。共用カバー２３の内部には、センサアセンブリ２を構成する各部材のうち、共用カバー２３を除く全ての部材が、収容されている。
【００２９】
（共用誘電層２８０、共用補強層２８１）
共用誘電層２８０は、柔軟な軟質ウレタンフォーム製であって、長方形膜状を呈している。共用誘電層２８０は、絶縁性を有している。
【００３０】
共用補強層２８１は、共用誘電層２８０の下側に配置されている。共用補強層２８１は、ＰＥＴ（ポリエチレンテレフタレート）製であって、長方形膜状を呈している。共用補強層２８１は、共用誘電層２８０よりも、硬質である（ヤング率が高い）。共用補強層２８１は、絶縁性を有している。
【００３１】
（共用表側基材２６０、表側電極部ＦＸ、表側配線Ｆｘ、表側電極部ＲＹ、表側配線Ｒｙ、共用表側カバーコート２７０）
共用表側基材２６０は、共用誘電層２８０の上側に配置されている。共用表側基材２６０は、ウレタン製であって、長方形膜状を呈している。共用表側基材２６０は、絶縁性を有している。
【００３２】
９本の表側配線Ｆｘは、共用表側基材２６０の下面の前半部分に、スクリーン印刷されている。表側配線Ｆｘは、銀ペースト製であって、導電性を有している。表側配線Ｆｘは、後述する表側電極ＦＸａと、後述するコネクタ２０Ｆと、を電気的に接続している。
【００３３】
表側電極部ＦＸは、９本の表側電極ＦＸａを備えている。表側電極ＦＸａは、直線状であって、共用表側基材２６０の下面の前半部分に、スクリーン印刷されている。表側電極ＦＸａは、前後方向（Ｙ方向）に延在している。９本の表側電極ＦＸａは、左右方向（Ｘ方向）に並んでいる。表側電極ＦＸａは、カーボンペースト製であって、導電性を有している。表側電極ＦＸａは、表側配線Ｆｘを、部分的に下側から覆っている。表側配線Ｆｘは、表側電極ＦＸａの長手方向全長に亘って、配置されている。
【００３４】
９本の表側配線Ｒｙは、共用表側基材２６０の下面の後半部分に、スクリーン印刷されている。表側配線Ｒｙは、銀ペースト製であって、導電性を有している。表側配線Ｒｙは、後述する表側電極ＲＹａと、後述するコネクタ２０Ｒと、を電気的に接続している。
【００３５】
表側電極部ＲＹは、９本の表側電極ＲＹａを備えている。表側電極ＲＹａは、直線状であって、共用表側基材２６０の下面の後半部分に、スクリーン印刷されている。表側電極ＲＹａは、左右方向に延在している。９本の表側電極ＲＹａは、前後方向に並んでいる。表側電極ＲＹａは、カーボンペースト製であって、導電性を有している。表側電極ＲＹａは、表側配線Ｒｙを、部分的に下側から覆っている。表側配線Ｒｙは、表側電極ＲＹａの長手方向全長に亘って、配置されている。
【００３６】
共用表側カバーコート２７０は、シリコーン製であって、長方形膜状を呈している。共用表側カバーコート２７０は、絶縁性を有している。共用表側カバーコート２７０は、共用表側基材２６０の下面に、スクリーン印刷されている。共用表側カバーコート２７０は、９本の表側配線Ｆｘ、９本の表側配線Ｒｙ、９本の表側電極ＦＸａ、９本の表側電極ＲＹａ、後述するセンサ部間アース電極２９０を、下側から覆っている。
【００３７】
（共用表側絶縁スペーサ２５０、共用表側アース電極２４０）
共用表側絶縁スペーサ２５０は、共用表側基材２６０の上側に配置されている。共用表側絶縁スペーサ２５０は、ウレタン製であって、長方形膜状を呈している。共用表側絶縁スペーサ２５０は、絶縁性を有している。
【００３８】
共用表側アース電極２４０は、カーボンペースト製であって、長方形膜状を呈している。共用表側アース電極２４０は、導電性を有している。共用表側アース電極２４０は、共用表側絶縁スペーサ２５０の上面に、スクリーン印刷されている。
【００３９】
また、共用表側絶縁スペーサ２５０の上面には、共用表側アース配線（図略）も、スクリーン印刷されている。共用表側アース配線は、銀ペースト製であって、共用表側絶縁スペーサ２５０の上面に、櫛歯状に延在している。共用表側アース配線は、共用表側絶縁スペーサ２５０と、共用表側アース電極２４０と、の間に介在している。共用表側アース電極２４０は、共用表側アース配線を介して、電気的に接地されている。
【００４０】
（共用裏側基材２６１、裏側電極部ＦＹ、裏側配線Ｆｙ、裏側電極部ＲＸ、裏側配線Ｒｘ、共用裏側カバーコート２７１）
共用裏側基材２６１は、共用補強層２８１の下側に配置されている。共用裏側基材２６１は、ウレタン製であって、長方形膜状を呈している。共用裏側基材２６１は、絶縁性を有している。
【００４１】
９本の裏側配線Ｆｙは、共用裏側基材２６１の上面の前半部分に、スクリーン印刷されている。裏側配線Ｆｙは、銀ペースト製であって、導電性を有している。裏側配線Ｆｙは、後述する裏側電極ＦＹａと、後述するコネクタ２０Ｆと、を電気的に接続している。
【００４２】
裏側電極部ＦＹは、９本の裏側電極ＦＹａを備えている。裏側電極ＦＹａは、直線状であって、共用裏側基材２６１の上面の前半部分に、スクリーン印刷されている。裏側電極ＦＹａは、左右方向に延在している。９本の裏側電極ＦＹａは、前後方向に並んでいる。裏側電極ＦＹａは、カーボンペースト製であって、導電性を有している。裏側電極ＦＹａは、裏側配線Ｆｙを、部分的に上側から覆っている。裏側配線Ｆｙは、裏側電極ＦＹａの長手方向全長に亘って、配置されている。
【００４３】
９本の裏側配線Ｒｘは、共用裏側基材２６１の上面の後半部分に、スクリーン印刷されている。裏側配線Ｒｘは、銀ペースト製であって、導電性を有している。裏側配線Ｒｘは、後述する裏側電極ＲＸａと、後述するコネクタ２０Ｒと、を電気的に接続している。
【００４４】
裏側電極部ＲＸは、９本の裏側電極ＲＸａを備えている。裏側電極ＲＸａは、直線状であって、共用裏側基材２６１の上面の後半部分に、スクリーン印刷されている。裏側電極ＲＸａは、前後方向に延在している。９本の裏側電極ＲＸａは、左右方向に並んでいる。裏側電極ＲＸａは、カーボンペースト製であって、導電性を有している。裏側電極ＲＸａは、裏側配線Ｒｘを、部分的に上側から覆っている。
【００４５】
共用裏側カバーコート２７１は、シリコーン製であって、長方形膜状を呈している。共用裏側カバーコート２７１は、絶縁性を有している。共用裏側カバーコート２７１は、共用裏側基材２６１の上面に、スクリーン印刷されている。共用裏側カバーコート２７１は、９本の裏側配線Ｆｙ、９本の裏側配線Ｒｘ、９本の裏側電極ＦＹａ、９本の裏側電極ＲＸａ、後述するセンサ部間アース電極２９１を、上側から覆っている。
【００４６】
（共用裏側絶縁スペーサ２５１、共用裏側アース電極２４１、共用裏端基材２６２）
共用裏側絶縁スペーサ２５１は、共用裏側基材２６１の下側に配置されている。共用裏側絶縁スペーサ２５１は、ウレタン製であって、長方形膜状を呈している。共用裏側絶縁スペーサ２５１は、絶縁性を有している。
【００４７】
共用裏端基材２６２は、共用裏側絶縁スペーサ２５１の下側に配置されている。共用裏端基材２６２は、ウレタン製であって、長方形膜状を呈している。共用裏端基材２６２は、絶縁性を有している。
【００４８】
共用裏側アース電極２４１は、カーボンペースト製であって、長方形膜状を呈している。共用裏側アース電極２４１は、導電性を有している。共用裏側アース電極２４１は、共用裏端基材２６２の上面に、スクリーン印刷されている。
【００４９】
また、共用裏端基材２６２の上面には、共用裏側アース配線（図略）も、スクリーン印刷されている。共用裏側アース配線は、銀ペースト製であって、共用裏端基材２６２の上面に、櫛歯状に延在している。共用裏側アース配線は、共用裏端基材２６２と、共用裏側アース電極２４１と、の間に介在している。共用裏側アース電極２４１は、共用裏側アース配線を介して、電気的に接地されている。
【００５０】
（センサ部間アース電極２９０、２９１）
センサ部間アース電極２９０は、共用表側基材２６０の下面に、スクリーン印刷されている。センサ部間アース電極２９０は、カーボンペースト製であって、直線状を呈している。センサ部間アース電極２９０は、導電性を有している。センサ部間アース電極２９０は、前側の表側電極部ＦＸ（９本の表側電極ＦＸａ）と、後側の表側電極部ＲＹ（９本の表側電極ＲＹａ）と、を仕切っている。
【００５１】
また、共用表側基材２６０の下面には、センサ部間アース配線（図略）も、スクリーン印刷されている。センサ部間アース配線は、銀ペースト製であって、共用表側基材２６０の下面に、直線状に延在している）。センサ部間アース配線は、共用表側基材２６０と、センサ部間アース電極２９０と、の間に介在している。具体的には、センサ部間アース配線は、図４に示す表側配線Ｒｙ同様に配置されている。センサ部間アース電極２９０は、センサ部間アース配線を介して、電気的に接地されている。
【００５２】
センサ部間アース電極２９１は、共用裏側基材２６１の上面に、スクリーン印刷されている。センサ部間アース電極２９１は、カーボンペースト製であって、直線状を呈している。センサ部間アース電極２９１は、導電性を有している。センサ部間アース電極２９１は、前側の裏側電極部ＦＹ（９本の裏側電極ＦＹａ）と、後側の裏側電極部ＲＸ（９本の裏側電極ＲＸａ）と、を仕切っている。
【００５３】
また、共用裏側基材２６１の上面には、センサ部間アース配線（図略）も、スクリーン印刷されている。センサ部間アース配線は、銀ペースト製であって、共用裏側基材２６１の上面に、直線状に延在している）。センサ部間アース配線は、共用裏側基材２６１と、センサ部間アース電極２９１と、の間に介在している。具体的には、センサ部間アース配線は、図４に示す裏側配線Ｆｙ同様に配置されている。センサ部間アース電極２９１は、センサ部間アース配線を介して、電気的に接地されている。
【００５４】
（検出部ＣＦ、ＣＲ）
上側から見て、９本の表側電極ＦＸａと、９本の裏側電極ＦＹａと、は格子状に並んでいる。表側電極ＦＸａと、裏側電極ＦＹａと、が重複する部分には、検出部ＣＦが設定されている。検出部ＣＦは、合計８１個配置されている。
【００５５】
上側から見て、９本の表側電極ＲＹａと、９本の裏側電極ＲＸａと、は格子状に並んでいる。表側電極ＲＹａと、裏側電極ＲＸａと、が重複する部分には、検出部ＣＲが設定されている。検出部ＣＲは、合計８１個配置されている。
【００５６】
（コネクタ２０Ｆ、２０Ｒ、ハーネス２１Ｆ、２１Ｒ、制御装置２２Ｆ、２２Ｒ）
コネクタ２０Ｆは、静電容量型センサ１の左前隅に配置されている。コネクタ２０Ｆには、９本の表側配線Ｆｘ、９本の裏側配線Ｆｙが、互いに絶縁を確保された状態で、電気的に接続されている。
【００５７】
コネクタ２０Ｒは、静電容量型センサ１の左後隅に配置されている。コネクタ２０Ｒには、９本の表側配線Ｒｙ、９本の裏側配線Ｒｘが、互いに絶縁を確保された状態で、電気的に接続されている。
【００５８】
ハーネス２１Ｆは、コネクタ２０Ｆと、後述する制御装置２２Ｆと、を電気的に接続している。ハーネス２１Ｒは、コネクタ２０Ｒと、後述する制御装置２２Ｒと、を電気的に接続している。
【００５９】
制御装置２２Ｆ、２２Ｒの構成は同様である。以下、代表して、制御装置２２Ｆの構成について説明する。制御装置２２Ｆは、電源２２０と、入力側切替回路２２１と、出力側切替回路２２２と、静電容量検出部２２３と、を備えている。
【００６０】
電源２２０は、９本の表側配線Ｆｘを介して、９本の表側電極ＦＸａに、交流電圧（具体的には矩形波電圧）を印加する。
【００６１】
入力側切替回路２２１は、９個のスイッチ（図略）を備えている。入力側切替回路２２１の一端は、電源２２０に接続されている。入力側切替回路２２１の他端は、９本の表側配線Ｆｘに接続されている。入力側切替回路２２１は、電源２２０に対して、９本の表側配線Ｆｘを、順番に切り替えて接続する。
【００６２】
出力側切替回路２２２は、９個のスイッチ（図略）を備えている。出力側切替回路２２２の一端は、９本の裏側配線Ｆｙに接続されている。出力側切替回路２２２の他端は、静電容量検出部２２３に接続されている。出力側切替回路２２２は、静電容量検出部２２３に対して、９本の裏側配線Ｆｙを、順番に切り替えて接続する。
【００６３】
静電容量検出部２２３は、合計８１個の検出部ＣＦのうち、電圧が印加されている表側電極ＦＸａと、静電容量検出部２２３に接続されている裏側電極ＦＹａと、に関する検出部ＣＦの静電容量を計測する。具体的には、静電容量検出部２２３は、検出部ＣＦの充電電流を静電容量に変換している。そして、当該静電容量を計測している。充電電流は、本発明の「静電容量に関する電気量」の概念に含まれる。合計８１個の検出部ＣＦには、走査的に電圧が印加される。このため、センサアセンブリ２の前半部分（後述するセンサ部Ｆ）における、寝ている人Ｍの体圧分布を計測することができる。
【００６４】
（センサ部Ｆ、Ｒ）
センサ部Ｆは、上記部材のうち、表側電極部ＦＸと、９本の表側配線Ｆｘと、裏側電極部ＦＹと、９本の裏側配線Ｆｙと、共用カバー２３の前半部分と、共用表側アース電極２４０の前半部分と、共用裏側アース電極２４１の前半部分と、共用表側絶縁スペーサ２５０の前半部分と、共用裏側絶縁スペーサ２５１の前半部分と、共用表側基材２６０の前半部分と、共用裏側基材２６１の前半部分と、共用裏端基材２６２の前半部分と、共用表側カバーコート２７０の前半部分と、共用裏側カバーコート２７１の前半部分と、共用誘電層２８０の前半部分と、共用補強層２８１の前半部分と、を備えている。
【００６５】
センサ部Ｒは、上記部材のうち、表側電極部ＲＹと、９本の表側配線Ｒｙと、裏側電極部ＲＸと、９本の裏側配線Ｒｘと、共用カバー２３の後半部分と、共用表側アース電極２４０の後半部分と、共用裏側アース電極２４１の後半部分と、共用表側絶縁スペーサ２５０の後半部分と、共用裏側絶縁スペーサ２５１の後半部分と、共用表側基材２６０の後半部分と、共用裏側基材２６１の後半部分と、共用裏端基材２６２の後半部分と、共用表側カバーコート２７０の後半部分と、共用裏側カバーコート２７１の後半部分と、共用誘電層２８０の後半部分と、共用補強層２８１の後半部分と、を備えている。
【００６６】
センサ部Ｆとセンサ部Ｒとは、前後方向に並んで配置されている。センサ部間アース電極２９０、２９１は、センサ部Ｆとセンサ部Ｒとの境界に配置されている。
【００６７】
［静電容量型センサの動き］
次に、本実施形態の静電容量型センサの動きについて説明する。制御装置２２Ｆの静電容量検出部２２３は、センサ部Ｆの有する合計８１個の検出部ＣＦの静電容量を、走査的に、順番に計測している。制御装置２２Ｆは、センサ部Ｆにおける、寝ている人Ｍの上半身の体圧分布を計測することができる。
【００６８】
同様に、制御装置２２Ｒの静電容量検出部２２３は、センサ部Ｒの有する合計８１個の検出部ＣＲの静電容量を、走査的に、順番に計測している。制御装置２２Ｒは、センサ部Ｒにおける、寝ている人Ｍの下半身の体圧分布を計測することができる。
【００６９】
このように、本実施形態の静電容量型センサ１の場合、センサ部Ｆ、Ｒ（制御装置２２Ｆ、２２Ｒ）が各々独立して、体圧分布を計測している。
【００７０】
［静電容量型センサの作用効果］
次に、本実施形態の静電容量型センサの作用効果について説明する。制御装置２２Ｆの電源２２０から発振される交流電圧と、制御装置２２Ｒの電源２２０から発振される交流電圧と、は互いに独立している。
【００７１】
このため、センサ部Ｆの表側電極部ＦＸの後端部分と、センサ部Ｒの表側電極部ＲＹの前端部分と、の間に、浮遊容量が発生しやすくなる。したがって、センサ部Ｆ、Ｒの交流電圧のタイミングによっては、互いに電磁的に干渉してしまう場合がある。
【００７２】
この点、本実施形態の静電容量型センサ１によると、センサ部Ｆの表側電極部ＦＸと、センサ部Ｒの表側電極部ＲＹと、の間に、センサ部間アース電極２９０が配置されている。このため、センサ部Ｆの表側電極部ＦＸの後端部分と、センサ部Ｒの表側電極部ＲＹの前端部分と、の間に発生する浮遊容量を、センサ部間アース電極２９０を介して、グランドに逃がすことができる。したがって、センサ部Ｆ、Ｒ同士が電磁的に干渉しにくい。よって、センサ部Ｆ、Ｒ間に発生する相互ノイズを抑制することができる。すなわち、センサ部Ｆから制御装置２２Ｆに伝送される充電電流に、センサ部Ｒに起因するノイズが混入するのを抑制することができる。同様に、センサ部Ｒから制御装置２２Ｒに伝送される充電電流に、センサ部Ｆに起因するノイズが混入するのを抑制することができる。
【００７３】
特に、センサ部Ｆ、Ｒの交流電圧の発振のタイミングが同時になると、相互ノイズが大きくなりやすい。この場合であっても、本実施形態の静電容量型センサ１によると、センサ部間アース電極２９０により、センサ部Ｆ、Ｒ間に発生する相互ノイズを抑制することができる。
【００７４】
また、本実施形態の静電容量型センサ１によると、センサ部Ｆの裏側電極部ＦＹと、センサ部Ｒの裏側電極部ＲＸと、の間に、センサ部間アース電極２９１が配置されている。このため、人Ｍが敷いている寝具やフロアに起因する環境ノイズを抑制することができる。
【００７５】
また、本実施形態の静電容量型センサ１によると、２つのセンサ部Ｆ、Ｒが、センサアセンブリ２として一体化されている。すなわち、２つのセンサ部Ｆ、Ｒにおいて、共用カバー２３、共用表側アース電極２４０、共用裏側アース電極２４１、共用誘電層２８０、共用補強層２８１、共用表側基材２６０、共用裏側基材２６１、共用裏端基材２６２、共用表側絶縁スペーサ２５０、共用裏側絶縁スペーサ２５１、共用表側カバーコート２７０、共用裏側カバーコート２７１が共用化されている。このため、これらの部材をセンサ部Ｆ、Ｒごとに配置する場合と比較して、部品点数が少なくなる。
【００７６】
また、本実施形態の静電容量型センサ１によると、センサ部Ｆが面方向（水平方向）に合計８１個の検出部ＣＦを備えている。同様に、センサ部Ｒが面方向に合計８１個の検出部ＣＲを備えている。このため、人Ｍの体圧分布を検出することができる。
【００７７】
また、本実施形態の静電容量型センサ１は、共用表側絶縁スペーサ２５０、共用表側アース電極２４０を備えている。このため、寝ている人Ｍの体を介して、センサ部Ｆ、Ｒ同士が電磁的に干渉するのを抑制することができる。よって、センサ部Ｆ、Ｒ間に発生する相互ノイズを抑制することができる。また、人Ｍに掛けられている寝具（例えば電気毛布など）に起因する環境ノイズを抑制することができる。
【００７８】
なお、センサ部Ｆ、Ｒの交流電圧の発振のタイミングがずれていても、あるいは同時であっても、寝ている人Ｍの体を介して、センサ部Ｆ、Ｒ同士は電磁的に干渉しやすい。この場合であっても、本実施形態の静電容量型センサ１によると、共用表側アース電極２４０により、センサ部Ｆ、Ｒ間に発生する相互ノイズを抑制することができる。
【００７９】
また、本実施形態の静電容量型センサ１は、共用裏側絶縁スペーサ２５１、共用裏側アース電極２４１を備えている。このため、人Ｍが敷いている寝具やフロアに起因する環境ノイズを抑制することができる。
【００８０】
また、検出部ＣＦ、ＣＲの静電容量Ｃａに対して、裏側電極ＦＹａ、ＲＸａと共用裏側アース電極２４１との間の電極間距離が、一定未満の場合は、静電容量Ｃａに起因する電流は、共用裏側アース電極２４１を介してグランドに逃げてしまう。この点、本実施形態の静電容量型センサ１は、共用裏側絶縁スペーサ２５１を備えている。このため、静電容量Ｃａに起因する電流を、裏側電極ＦＹａ、ＲＸａ、裏側配線Ｆｙ、Ｒｘを介して、制御装置２２Ｆ、２２Ｒの静電容量検出部２２３に流すことができる。
【００８１】
同様に、検出部ＣＦ、ＣＲの静電容量Ｃａに対して、表側電極ＦＸａ、ＲＹａと共用表側アース電極２４０との間の電極間距離が、一定未満の場合は、静電容量Ｃａに起因する電流は、共用表側アース電極２４０を介してグランドに逃げてしまう。この点、本実施形態の静電容量型センサ１は、共用表側絶縁スペーサ２５０を備えている。このため、静電容量Ｃａに起因する電流を、裏側電極ＦＹａ、ＲＸａ、裏側配線Ｆｙ、Ｒｘを介して、制御装置２２Ｆ、２２Ｒの静電容量検出部２２３に流すことができる。
【００８２】
また、本実施形態の静電容量型センサ１によると、共用表側基材２６０の下面に、９本の表側配線Ｆｘ、９本の表側配線Ｒｙ、９本の表側電極ＦＸａ、９本の表側電極ＲＹａ、センサ部間アース電極２９０、共用表側カバーコート２７０が、スクリーン印刷されている。このため、これらの部材の形状精度、位置精度が高くなる。
【００８３】
同様に、本実施形態の静電容量型センサ１によると、共用裏側基材２６１の上面に、９本の裏側配線Ｆｙ、９本の裏側配線Ｒｘ、９本の裏側電極ＦＹａ、９本の裏側電極ＲＸａ、センサ部間アース電極２９１、共用裏側カバーコート２７１が、スクリーン印刷されている。このため、これらの部材の形状精度、位置精度が高くなる。
【００８４】
また、上記「共用表側基材２６０、９本の表側配線Ｆｘ、９本の表側配線Ｒｙ、９本の表側電極ＦＸａ、９本の表側電極ＲＹａ、センサ部間アース電極２９０、共用表側カバーコート２７０」からなる表側積層体と、上記「共用裏側基材２６１、９本の裏側配線Ｆｙ、９本の裏側配線Ｒｘ、９本の裏側電極ＦＹａ、９本の裏側電極ＲＸａ、センサ部間アース電極２９１、共用裏側カバーコート２７１」からなる裏側積層体と、は構成が同じである。すなわち、表側積層体を、図２における時計回り方向（あるいは反時計回り方向)に、１８０°反転させると、裏側積層体になる。同様に、裏側積層体を、図２における時計回り方向（あるいは反時計回り方向)に、１８０°反転させると、表側積層体になる。このため、同じ構成の積層体を、表側積層体、裏側積層体として、用いることができる。
【００８５】
また、本実施形態の静電容量型センサ１によると、共用誘電層２８０の下側に共用補強層２８１が配置されている。このため、共用誘電層２８０の耐久性が高くなる。また、共用誘電層２８０の上側に共用補強層２８１を配置する場合と比較して、共用誘電層２８０を、荷重が加わった部分だけ、局所的に圧縮させることができる。このため、体圧分布の検出精度を高くすることができる。
【００８６】
また、本実施形態の静電容量型センサ１によると、表側または裏側から見て、電極（表側電極ＦＸａ、ＲＹａ、裏側電極ＦＹａ、ＲＸａ、共用表側アース電極２４０、共用裏側アース電極２４１、センサ部間アース電極２９０、２９１）の全体に亘って、配線（表側配線Ｆｘ、Ｒｙ、裏側配線Ｆｙ、Ｒｘ、共用表側アース配線、共用裏側アース配線、センサ部間アース配線）が配置されている。配線は、電極よりも、電気抵抗が小さい。このため、電極全体に配線を行き渡らせることにより、電極全体の電気抵抗を小さくすることができる。また、電極全体の電気抵抗のばらつきを小さくすることができる。また、複数の検出部ＣＦ、ＣＲ間（例えば、前端の検出部ＣＦ、ＣＲと後端の検出部ＣＦ、ＣＲとの間）における検出値のばらつきを小さくすることができる。したがって、体圧分布の検出精度を高くすることができる。
【００８７】
＜第二実施形態＞
本実施形態の静電容量型センサと、第一実施形態の静電容量型センサとの相違点は、共用表側アース電極、共用裏側アース電極、共用裏端基材が配置されていない点である。ここでは、相違点についてのみ説明する。
【００８８】
図５に、本実施形態の静電容量型センサの前後方向拡大断面図を示す。なお、図４と対応する部位については、同じ符号で示す。図５に示すように、共用カバー２３の上壁と、共用表側基材２６０と、の間には、ウレタンスラブ製の共用表側絶縁スペーサ２５０が配置されている。また、共用カバー２３の下壁と、共用裏側基材２６１と、の間には、ウレタンスラブ製の共用裏側絶縁スペーサ２５１が配置されている。図４に示す共用表側アース電極２４０、共用裏側アース電極２４１、共用裏端基材２６２は、配置されていない。
【００８９】
本実施形態の静電容量型センサと、第一実施形態の静電容量型センサとは、構成が共通する部分に関しては、同様の作用効果を有する。本実施形態の静電容量型センサのように、共用表側絶縁スペーサ２５０、共用裏側絶縁スペーサ２５１の表裏方向厚さを大きくすれば、共用表側アース電極、共用裏側アース電極を配置しなくても、ノイズを抑制することができる。
【００９０】
＜第三実施形態＞
本実施形態の静電容量型センサと、第一実施形態の静電容量型センサとの相違点は、共用裏側絶縁スペーサが、５枚の絶縁フィルムから構成されている点である。ここでは、相違点についてのみ説明する。
【００９１】
図６に、本実施形態の静電容量型センサの共用裏側絶縁スペーサの分解斜視図を示す。なお、図４と対応する部位については、同じ符号で示す。図６に示すように、共用裏側絶縁スペーサ２５１は、５枚の絶縁フィルム２５１ａからなる。絶縁フィルム２５１ａは、ＰＥ製であって、長方形膜状を呈している。絶縁フィルム２５１ａは、絶縁性を有している。
【００９２】
４つの角部連結部２９２は、上側から見て、共用裏側絶縁スペーサ２５１の四隅に配置されている。角部連結部２９２は、上下方向に隣り合う一対の絶縁フィルム２５１ａ同士を溶着することにより、形成されている。
【００９３】
９つの中央連結部２９３は、上側から見て、共用裏側絶縁スペーサ２５１の左右方向略中央に配置されている。このうち、３つの中央連結部２９３は、上側から見て、共用裏側絶縁スペーサ２５１の前後方向略中央に配置されている。また、別の３つの中央連結部２９３は、上側から見て、共用裏側絶縁スペーサ２５１の前縁付近に配置されている。また、残りの３つの中央連結部２９３は、上側から見て、共用裏側絶縁スペーサ２５１の後縁付近に配置されている。中央連結部２９３は、前後方向（図１に示す人Ｍの身長方向）に延在している。このように、５枚の絶縁フィルム２５１ａは、４つの角部連結部２９２、９つの中央連結部２９３により、互いに面方向（水平方向）にずれないように、一体化されている。
【００９４】
共用裏側絶縁スペーサ２５１において、４つの角部連結部２９２、９つの中央連結部２９３が配置されている部分が、拘束部２５１ｂである。拘束部２５１ｂにおいては、５枚の絶縁フィルム２５１ａが互いに拘束されている。このため、各絶縁フィルム２５１ａは、他の絶縁フィルム２５１ａに対して、面方向にずれることができない。
【００９５】
一方、共用裏側絶縁スペーサ２５１において、４つの角部連結部２９２、９つの中央連結部２９３が配置されていない部分が、非拘束部２５１ｃである。非拘束部２５１ｃにおいては、５枚の絶縁フィルム２５１ａが互いに拘束されていない。このため、各絶縁フィルム２５１ａは、他の絶縁フィルム２５１ａに対して、面方向にずれることができる。
【００９６】
本実施形態の静電容量型センサと、第一実施形態の静電容量型センサとは、構成が共通する部分に関しては、同様の作用効果を有する。本実施形態の静電容量型センサによると、共用裏側絶縁スペーサ２５１は、上下方向に積層された５枚の絶縁フィルム２５１ａにより、構成されている。このため、絶縁フィルム２５１ａの積層数を変更することにより、共用裏側絶縁スペーサ２５１の上下方向の厚さ（つまり共用裏側アース電極と裏側電極との間の距離）を、簡単に調整することができる。
【００９７】
また、本実施形態の静電容量型センサ１の共用裏側絶縁スペーサ２５１は、拘束部２５１ｂを備えている。このため、５枚の絶縁フィルム２５１ａが互いにずれるのを抑制することができる。また、共用裏側絶縁スペーサ２５１は、非拘束部２５１ｃを備えている。このため、５枚の絶縁フィルム２５１ａの変形（例えば曲げ変形）が、互いに拘束されるのを抑制することができる。また、隣り合う任意の一つの絶縁フィルム２５１ａの非拘束部２５１ｃ同士が、互いに摺動するのを許容することができる。
【００９８】
また、絶縁フィルム２５１ａを曲げ変形させる場合、曲率半径方向内側の面に対する曲率半径方向外側の面の伸張量は、絶縁フィルム２５１ａの上下方向厚さが小さいほど、小さくて済む。例えば、絶縁フィルム２５１ａに上側から荷重を加える場合、絶縁フィルム２５１ａの上面に対する下面の伸張量は、絶縁フィルム２５１ａの上下方向厚さが小さいほど、小さくて済む。このように、絶縁フィルム２５１ａの上下方向厚さが小さいほど、絶縁フィルム２５１ａは曲がりやすい。
【００９９】
この点、本実施形態の静電容量型センサ１によると、共用裏側絶縁スペーサ２５１が、単一の絶縁フィルムではなく、５枚の絶縁フィルム２５１ａから構成されている。また、共用裏側絶縁スペーサ２５１は、非拘束部２５１ｃを備えている。このため、単一の絶縁フィルム（当該絶縁フィルムの上下方向厚さは、５枚の絶縁フィルム２５１ａの上下方向厚さの総和）からなる共用裏側絶縁スペーサと比較して、本実施形態の共用裏側絶縁スペーサ２５１の５枚の絶縁フィルム２５１ａは、各々、曲がりやすい。したがって、本実施形態の共用裏側絶縁スペーサ２５１は曲がりやすい。よって、寝心地が良好である。
【０１００】
このように、本実施形態の静電容量型センサ１によると、共用裏側絶縁スペーサ２５１の上下方向の厚さ（つまり共用裏側アース電極と裏側電極との間の距離）を充分に確保しながら、共用裏側絶縁スペーサ２５１の曲げ変形を容易にすることができる。
【０１０１】
また、９つの中央連結部２９３は、就寝状態の人Ｍの身長方向（前後方向）に沿って、延在している。このため、人Ｍが、臥位（寝ている状態）から座位（座っている状態）、または座位から臥位に移行する際に、５枚の絶縁フィルム２５１ａが互いにずれにくい。したがって、人Ｍが違和感を感じにくい。
【０１０２】
また、絶縁フィルム２５１ａは、ポリエチレン製である。ポリエチレンは、安価で、ヤング率が低く、誘電率が低い。このため、絶縁フィルム２５１ａは、製造コストが低く、曲がりやすく、絶縁性が高い。
【０１０３】
＜その他＞
以上、本発明の静電容量型センサの実施の形態について説明した。しかしながら、実施の形態は上記形態に特に限定されるものではない。当業者が行いうる種々の変形的形態、改良的形態で実施することも可能である。
【０１０４】
上記実施形態においては、センサアセンブリ２としてセンサ部Ｆ、Ｒを一体化したが、センサ部Ｆ、Ｒを別体化してもよい。また、センサ部Ｆ、Ｒの配置数、形状、配置パターンは特に限定しない。３つ以上のセンサ部Ｆ、Ｒを、水平方向に並べて配置してもよい。
【０１０５】
表側電極ＦＸａ、ＲＹａ、裏側電極ＦＹａ、ＲＸａの本数、形状、配置パターンは特に限定しない。少なくとも一つの検出部ＣＦ、ＣＲを設定できればよい。複数の検出部ＣＦ、ＣＲを配置する場合、検出部ＣＦ、ＣＲの配置密度は、検出エリア（体圧分布を検出可能なエリア）全面に亘って、一定でなくてもよい。例えば、体圧が集中しやすい部分に密に、体圧が集中しにくい部分に疎に、検出部ＣＦ、ＣＲを配置してもよい。また、表側電極ＦＸａ、ＲＹａ、裏側電極ＦＹａ、ＲＸａのうち、一方を、同心円状に配置してもよい。並びに、他方を、一方と同心の放射状に配置してもよい。また、隣り合う表側電極ＦＸａと表側電極ＲＹａとを、平行に並べてもよい。また、隣り合う裏側電極ＦＹａと裏側電極ＲＸａとを、平行に並べてもよい。また、隣り合う表側電極ＦＸａと表側電極ＲＹａとを、一列に並べてもよい。また、隣り合う裏側電極ＦＹａと裏側電極ＲＸａとを、一列に並べてもよい。
【０１０６】
上記実施形態においては、共用表側基材２６０の下面に、９本の表側配線Ｆｘ、９本の表側配線Ｒｙ、９本の表側電極ＦＸａ、９本の表側電極ＲＹａ、センサ部間アース電極２９０、共用表側カバーコート２７０を、スクリーン印刷した。並びに、共用裏側基材２６１の上面に、９本の裏側配線Ｆｙ、９本の裏側配線Ｒｘ、９本の裏側電極ＦＹａ、９本の裏側電極ＲＸａ、センサ部間アース電極２９１、共用裏側カバーコート２７１を、スクリーン印刷した。しかしながら、インクジェット印刷方法、フレキソ印刷方法、グラビア印刷方法、パッド印刷方法、リソグラフィー、ディスペンサー印刷方法など、他の印刷方法により、上記各部材を印刷してもよい。また、接着、貼着、成形など、他の配置方法により、上記各部材を配置してもよい。
【０１０７】
また、共用誘電層２８０の上面に、９本の表側配線Ｆｘ、９本の表側配線Ｒｙ、９本の表側電極ＦＸａ、９本の表側電極ＲＹａ、センサ部間アース電極２９０、共用表側カバーコート２７０を、印刷してもよい。同様に、共用誘電層２８０の下面に、９本の裏側配線Ｆｙ、９本の裏側配線Ｒｘ、９本の裏側電極ＦＹａ、９本の裏側電極ＲＸａ、センサ部間アース電極２９１、共用裏側カバーコート２７１を、印刷してもよい。こうすると、検出部ＣＦ、ＣＲの位置精度が高くなる。
【０１０８】
また、本発明の静電容量型センサの表裏方向は、上下方向でなくてもよい。例えば、表裏方向が前後方向、左右方向（例えば、静電容量型センサを壁面に配置する場合）であってもよい。また、本発明の静電容量型センサは、平面は勿論、曲面に配置してもよい。曲面に配置する場合、静電容量型センサは曲面の形状に沿って湾曲する。
【０１０９】
また、センサ部間アース電極２９０、２９１は、いずれか一方だけ配置してもよい。また、上記実施形態においては、表側電極部ＦＸ、ＲＹを入力側切替回路２２１に、裏側電極部ＦＹ、ＲＸを出力側切替回路２２２に、各々接続したが、表側電極部ＦＸ、ＲＹ、裏側電極部ＦＹ、ＲＸの接続先は特に限定しない。例えば、表側電極部ＦＸ、ＲＹを出力側切替回路２２２に、裏側電極部ＦＹ、ＲＸを入力側切替回路２２１に、各々接続してもよい。
【０１１０】
図６に示す絶縁フィルム２５１ａの構成は特に限定しない。上面および下面のうち、少なくとも一方に、凹凸形状を付与してもよい。また、上面および下面のうち、少なくとも一方に、スリットを入れてもよい。また、凹凸形状を有するシボシートを、絶縁フィルム２５１ａとして用いてもよい。
【０１１１】
図６においては、共用裏側絶縁スペーサ２５１を複数の絶縁フィルム２５１ａにより構成したが、共用表側絶縁スペーサ２５０を複数の絶縁フィルム２５１ａにより構成してもよい。
【０１１２】
また、共用表側絶縁スペーサ２５０、共用裏側絶縁スペーサ２５１における絶縁フィルム２５１ａの積層数は特に限定しない。単一でも複数でもよい。複数の場合、各絶縁フィルム２５１ａの上下方向厚さは、一定であっても、一定でなくてもよい。
【０１１３】
角部連結部２９２、中央連結部２９３の構成は特に限定しない。接着、面ファスナー、粘着テープ（例えば両面テープなど）、ステープラー、クリップなどにより、各部材を固定してもよい。フィルム連結部（角部連結部２９２、中央連結部２９３）の配置数、形状、配置パターンは特に限定しない。例えば、絶縁フィルム２５１ａの四辺に沿って、四角形枠状にフィルム連結部を配置してもよい。
【０１１４】
絶縁性を有する部材（例えば、共用カバー２３、共用表側絶縁スペーサ２５０、共用裏側絶縁スペーサ２５１、共用表側基材２６０、共用裏側基材２６１、共用裏端基材２６２、共用表側カバーコート２７０、共用裏側カバーコート２７１、共用誘電層２８０、共用補強層２８１など）の材質は特に限定しない。人Ｍの体重により湾曲する程度の柔軟性を有していればよい。例えば、樹脂、エラストマーを用いることができる。樹脂としては、ＰＥＴ、ＰＥ、ＰＩ（ポリイミド）、ＰＥＮ（ポリエチレンナフタレート）などを用いることができる。エラストマーとしては、シリコーンゴム、アクリロニトリル−ブタジエン共重合ゴム、アクリルゴム、エピクロロヒドリンゴム、クロロスルホン化ポリエチレンゴム、塩素化ポリエチレンゴム、ウレタンゴム、エチレンプロピレン共重合体ゴム、天然ゴム、スチレン−ブタジエンゴムなどを用いることができる。また、絶縁性を有する部材の材料として、樹脂、エラストマーのフォーム（例えば、ウレタンフォーム、ポリエチレンフォーム、ポリスチレンフォームなど）を用いてもよい。また、絶縁性を有する部材の材料として、樹脂繊維（例えば、ポリエステル繊維、ポリアミド繊維など）の織布、不織布などを用いてもよい。
【０１１５】
導電性を有する部材（例えば、表側電極ＦＸａ、ＲＹａ、裏側電極ＦＹａ、ＲＸａ、表側配線Ｆｘ、Ｒｙ、裏側配線Ｆｙ、Ｒｘ、共用表側アース電極２４０、共用裏側アース電極２４１、センサ部間アース電極２９０、２９１など）の材質は特に限定しない。人Ｍの体重により湾曲する程度の柔軟性を有していればよい。例えば、母材であるエラストマーに導電性フィラーを含有させた電極材料を用いてもよい。この場合、エラストマーとしては、シリコーンゴム、エチレン−プロピレン共重合ゴム、天然ゴム、スチレン−ブタジエン共重合ゴム、アクリロニトリル−ブタジエン共重合ゴム、アクリルゴム、エピクロロヒドリンゴム、クロロスルホン化ポリエチレン、塩素化ポリエチレン、ウレタンゴムなどを用いることができる。また、導電性フィラーとしては、炭素材料および金属から選ばれる一種以上からなるものを用いることができる。金属としては、導電性の高い銀、銅等が好適である。例えば、導電性フィラーとして、銀、銅等の微粒子、あるいは表面に銀等のめっきを施した微粒子を使用することができる。また、炭素材料は、導電性が良好で、比較的安価である。このため、炭素材料製の導電性フィラーを用いると、静電容量型センサ１の製造コストを低減することができる。炭素材料としては、例えば、導電性カーボンブラック、カーボンナノチューブ、カーボンナノチューブの誘導体、グラファイト、導電性炭素繊維などを用いることができる。特に、導電性カーボンブラック、グラファイト、導電性炭素繊維は、導電性が良好で、比較的安価である。このため、これらの材料を用いると、静電容量型センサ１の製造コストを削減することができる。また、導電性を有する部材の材料として、導電性繊維の織布、不織布などを用いてもよい。
【０１１６】
本発明の静電容量型センサは、寝具（例えば、ベッド、布団など）、フロア、壁など、比較的大きな面積の検出エリアに配置するのに好適である。また、本発明の静電容量型センサは、相互容量式のタッチセンサとして具現化してもよい。この場合、表側電極部ＦＸ、ＲＹ、裏側電極部ＦＹ、ＲＸのうち、一方を受信電極に、他方を送信電極に、設定すればよい。
【符号の説明】
【０１１７】
１：静電容量型センサ。
２：センサアセンブリ、２０Ｆ：コネクタ、２０Ｒ：コネクタ、２１Ｆ：ハーネス、２１Ｒ：ハーネス、２２Ｆ：制御装置、２２Ｒ：制御装置、２２０：電源、２２１：入力側切替回路、２２２：出力側切替回路、２２３：静電容量検出部、２３：共用カバー、２４０：共用表側アース電極（表側アース電極）、２４１：共用裏側アース電極（裏側アース電極）、２５０：共用表側絶縁スペーサ（表側絶縁スペーサ）、２５１：共用裏側絶縁スペーサ（裏側絶縁スペーサ）、２５１ａ：絶縁フィルム、２５１ｂ：拘束部、２５１ｃ：非拘束部、２６０：共用表側基材、２６１：共用裏側基材、２６２：共用裏端基材、２７０：共用表側カバーコート、２７１：共用裏側カバーコート、２８０：共用誘電層、２８１：共用補強層、２９０：センサ部間アース電極、２９１：センサ部間アース電極、２９２：角部連結部、２９３：中央連結部。
９：シーツ。
ＣＦ：検出部、ＣＲ：検出部、Ｆ：センサ部、ＦＸ：表側電極部（入力側電極部）、ＦＸａ：表側電極、ＦＹ：裏側電極部（出力側電極部）、ＦＹａ：裏側電極、Ｆｘ：表側配線、Ｆｙ：裏側配線、Ｒ：センサ部、ＲＸ：裏側電極部（出力側電極部）、ＲＸａ：裏側電極、ＲＹ：表側電極部（入力側電極部）、ＲＹａ：表側電極、Ｒｘ：裏側配線、Ｒｙ：表側配線、Ｍ：人。
【図１】
2015007566.tif 000003
【図２】
2015007566.tif 000004
【図３】
2015007566.tif 000005
【図４】
2015007566.tif 000006
【図５】
2015007566.tif 000007
【図６】
2015007566.tif 000008